(57)【要約】【課題】  画像読取動作の設定入力時における手間を削減することができる画像読取装置を提供する。【解決手段】  操作部に各画像読取動作別に入力された画像読取ジョブがジョブ記憶メモリに記憶され、ジョブ記憶メモリから呼び出す画像読取ジョブが操作部で指定されると（Ｓ１３）、制御部がこの指定された画像読取ジョブをジョブ記憶メモリから呼び出して（Ｓ１４）、呼び出した画像読取ジョブに基づいて画像読取動作を実行させる（Ｓ１７）。これにより、ユーザは、操作部で所望の画像読取ジョブを指定すれば、画像読取動作の詳細な動作設定を行わなくても、所望の動作設定で画像読取動作を実行できる。【選択図】      図９
2005223816.tif 000002
【特許請求の範囲】
【請求項１】
原稿画像を読み取る画像読取手段によって読み取られた画像を、内蔵の画像記憶手段又はネットワーク接続された外部機器に保存させる画像読取装置であって、
画像読取の動作設定が入力される操作手段と、
前記操作手段で各画像読取動作別に入力された動作設定を、画像読取ジョブとして記憶可能なジョブ記憶手段と、
前記ジョブ記憶手段から呼び出す画像読取ジョブの指定が入力されるジョブ指定手段と、
前記ジョブ指定手段で指定された画像読取ジョブを前記ジョブ記憶手段から呼び出して、この呼び出した画像読取ジョブに基づいて画像読取動作を実行させる制御手段と
を備えたことを特徴とする画像読取装置。
【請求項２】
前記ジョブ記憶手段は、前記操作手段に入力された画像読取ジョブ毎に名称を付して記憶し、
前記ジョブ指定手段は、呼出の対象となる画像読取ジョブの指定に必要な項目を表示する表示部を有し、この項目表示部分がユーザに押下された場合に、当該押下された項目に対応する指定の入力を受け付け、
前記制御手段は、前記ジョブ記憶手段に記憶されている画像読取ジョブの名称を前記項目として前記表示部に表示させ、この名称表示部分が押下された場合に、押下された名称が付された画像読取ジョブを前記ジョブ記憶手段から呼び出し、呼び出した画像読取ジョブに基づいて画像読取動作を実行させることを特徴とする請求項１に記載の画像読取装置。
【請求項３】
前記ジョブ指定手段で指定された名称が付された画像読取ジョブに基づいて、前記制御手段が画像読取動作を実行させる場合に、このジョブ指定手段で指定された名称に通し番号を付加した名称を、保存対象となる画像にファイル名称として付すファイル名称付加手段を備えたことを特徴とする請求項２に記載の画像読取装置。
【請求項４】
前記制御手段は、前記ジョブ指定手段で指定された回数の多い名称を、他の名称よりも顕著な表示形態として、前記ジョブ指定手段の表示部に表示させることを特徴とする請求項２又は請求項３に記載の画像読取装置。
【発明の詳細な説明】
【技術分野】
【０００１】
本発明は、読み取った原稿画像を、内蔵の画像記憶手段又はネットワーク接続された外部機器に保存させる画像読取装置に関するものである。
【背景技術】
【０００２】
従来、光源からの光を原稿に照射し、その反射光の像を例えばＣＣＤ（charge coupled device）からなる撮像部で撮像して読み取り、読み取った原稿画像を、内蔵の画像記憶手段又はネットワーク接続された外部機器に保存させる画像読取装置が知られている（特許文献１）。このような画像読取装置では、タッチパネル機能を備えた表示パネル（操作部の一部）に、画像読取操作に必要な各種の操作指示を入力するための操作キーが表示され、ユーザが、この表示パネルに表示された操作キーを押下すると、画像読取時に必要な各種設定（解像度、画像サイズ、保存先、ファイル名等）を指定する指示の入力が画像読取装置に受け付けられるようになっている。
【特許文献１】特開２００１−３４７４１号公報
【発明の開示】
【発明が解決しようとする課題】
【０００３】
しかしながら、上記の画像読取装置では、ユーザは、画像読取時の設定の入力を、画像読取を実行する度に毎回入力しなければならないので、前回と同じ設定で画像読取を行う場合であっても、再度同じ内容の画像読取の設定を入力しなければならず、画像読取動作の設定操作に手間を要していた。
【０００４】
本発明は、上記の問題を解決するためになされたもので、画像読取動作の設定入力時における手間を削減することができる画像読取装置を提供することを目的とするものである。
【課題を解決するための手段】
【０００５】
本発明の請求項１に記載の発明は、原稿画像を読み取る画像読取手段によって読み取られた画像を、内蔵の画像記憶手段又はネットワーク接続された外部機器に保存させる画像読取装置であって、
画像読取の動作設定が入力される操作手段と、
前記操作手段で各画像読取動作別に入力された動作設定を、画像読取ジョブとして記憶可能なジョブ記憶手段と、
前記ジョブ記憶手段から呼び出す画像読取ジョブの指定が入力されるジョブ指定手段と、
前記ジョブ指定手段で指定された画像読取ジョブを前記ジョブ記憶手段から呼び出して、この呼び出した画像読取ジョブに基づいて画像読取動作を実行させる制御手段と
を備えたものである。
【０００６】
この構成によれば、操作手段に各画像読取動作別に入力された画像読取ジョブがジョブ記憶手段に記憶され、ジョブ指定手段において、ジョブ記憶手段から呼び出す画像読取ジョブが指定されると、制御手段がこの指定された画像読取ジョブをジョブ記憶手段から呼び出して、呼び出した画像読取ジョブに基づいて画像読取動作を実行させるので、ユーザは、ジョブ指定手段で所望の画像読取ジョブを指定すれば、画像読取動作の詳細な設定を行わなくても、所望の動作設定で画像読取動作を実行できる。
【０００７】
また、請求項２に記載の発明は、請求項１に記載の画像読取装置であって、前記ジョブ記憶手段は、前記操作手段に入力された画像読取ジョブ毎に名称を付して記憶し、
前記ジョブ指定手段は、呼出の対象となる画像読取ジョブの指定に必要な項目を表示する表示部を有し、この項目表示部分がユーザに押下された場合に、当該押下された項目に対応する指定の入力を受け付け、
前記制御手段は、前記ジョブ記憶手段に記憶されている画像読取ジョブの名称を前記項目として前記表示部に表示させ、この名称表示部分が押下された場合に、押下された名称が付された画像読取ジョブを前記ジョブ記憶手段から呼び出し、呼び出した画像読取ジョブに基づいて画像読取動作を実行させるものである。
【０００８】
この構成によれば、ジョブ記憶手段に記憶されている画像読取ジョブの名称が、ジョブ指定手段の表示部に表示され、この名称表示部分が押下されると、押下された名称の付された画像読取ジョブを制御手段がジョブ記憶手段から呼び出して、当該画像読取ジョブに基づいて画像読取動作を実行させるので、ユーザは、表示部に表示された画像読取ジョブの名称を押下するだけで、簡単に所望の動作設定で画像読取動作を行わせることができる。
【０００９】
また、請求項３に記載の発明は、請求項２に記載の画像読取装置であって、前記ジョブ指定手段で指定された名称が付された画像読取ジョブに基づいて、前記制御手段が画像読取動作を実行させる場合に、このジョブ指定手段で指定された名称に通し番号を付加した名称を、保存対象となる画像にファイル名称として付すファイル名称付加手段を備えたものである。
【００１０】
この構成によれば、ジョブ指定手段で名称が指定されて画像読取動作の設定が行われた場合、ファイル名称付加手段によって、保存される画像に自動的にファイル名称が付されるので、ユーザは、ファイル名称を付す操作を行わなくても、読み取られた画像にファイル名称を付して保存することができる。
【００１１】
また、請求項４に記載の発明は、請求項２又は請求項３に記載の画像読取装置であって、前記制御手段は、前記ジョブ指定手段で指定された回数の多い名称を、他の名称よりも顕著な表示形態として、前記ジョブ指定手段の表示部に表示させるものである。
【００１２】
この構成によれば、ジョブ指定手段で指定が受け付けられた回数の多い名称を、他の名称よりも顕著な表示形態として、制御手段がジョブ指定手段に表示させるので、ユーザは、利用頻度の高い画像読取ジョブの名称を視認しやすくなる。
【発明の効果】
【００１３】
請求項１に記載の発明によれば、ユーザは、ジョブ指定手段で所望の画像読取ジョブを指定すれば、画像読取動作の詳細な設定を行わずに、簡単な操作で所望の動作設定として画像読取動作を実行できるので、画像読取動作の設定を入力する時におけるユーザの手間を削減することができる。
【００１４】
請求項２に記載の発明によれば、ユーザは、ジョブ指定手段に表示された画像読取ジョブの名称を押下するだけで、簡単に所望の動作設定で画像読取動作を行わせることができるので、画像読取動作の設定を入力する時におけるユーザの手間を更に削減することができる。
【００１５】
請求項３に記載の発明によれば、ユーザは、ファイル名称を付す操作を行わなくても、読み取られた画像にファイル名称を付して保存できるので、読み取った画像を保存する時における手間も削減することができる。
【００１６】
請求項４に記載の発明によれば、ジョブ指定手段で指定が受け付けられた回数の多い名称が、他の名称よりも顕著な表示形態で表示されるので、ユーザは、利用頻度の高い画像読取ジョブの名称を視認しやすくなり、画像読取時における動作設定の操作の手間が更に削減される。
【発明を実施するための最良の形態】
【００１７】
以下、本発明による画像読取装置の一例として本発明の一実施の形態による複合機について図面を参照しながら説明する。図１は、本発明の一実施の形態による複合機を用いたネットワークシステムの構成を示す図である。
【００１８】
図１に示すネットワークシステムは、複合機１、複数のクライアントＰＣ（パーソナルコンピュータ）２１，２２、ＳＭＴＰ（Simple Mail Transfer Protocol）サーバ３０及び外部ＰＣ５１，５２を備える。複合機１、クライアントＰＣ２１，２２及びＳＭＴＰサーバ３０は、ネットワークの一例であるＬＡＮ（Local Area Network）８０を介して相互に通信可能に接続され、種々のデータ等を送受信可能な状態に構成されている。ＳＭＴＰサーバ３０及び外部ＰＣ５１，５２は、ネットワークの一例であるインターネット６０を介して相互に通信可能に接続され、電子メールを含む種々のデータ等を送受信可能な状態に構成されている。複合機１は、ネットワークの一例である電話回線を介して外部に設置されたファクシミリ装置７０にファクス送受信可能に接続されている。
【００１９】
上記のように構成されたネットワークシステムは、例えば、所定の会社において使用され、当該会社内のネットワークがＬＡＮ４として用いられ、当該会社内で社員等のユーザが使用する機器が、複合機１及びクライアントＰＣ２１，２２となり、当該会社の支社等に設置され且つ当該支社の社員等のユーザが使用する機器が、外部ＰＣ５１，５２及びファクシミリ装置７０となる。
【００２０】
なお、上記のネットワークシステムの構成は、種々の変更が可能であり、ＬＡＮ８０等を介して複合機１に接続可能なクライアントＰＣ、外部ＰＣ及びファクシミリ装置等の台数を変更したり、ＬＡＮ８０とインターネット６０とを接続する機器としてＳＭＴＰサーバ３０以外にゲートウェイ、ルータ等を適宜設けてもよく、文書管理サーバ等の種々のサーバ等をさらに付加してもよい。
【００２１】
複合機１は、スキャナ機能、ファクシミリ機能、プリンタ機能、及びコピー機能等の複合機能を備えた複写機である。本発明に係る画像読取装置としては、少なくともスキャナ機能を備えていれば足りる。なお、複合機１では、この他、ＰＣ送信機能、Ｅ−ｍａｉｌ送信機能等が実現される。
【００２２】
ここで、ＰＣ送信機能とは、上記スキャナ機能により原稿から読み取った画像データを複合機１からＬＡＮ４を介して任意のクライアントＰＣ２１，２２等へ直接送信する機能である。Ｅ−ｍａｉｌ送信機能とは、スキャナ機能により原稿から読み取った画像データを電子メール又はその添付ファイルとして複合機１からＬＡＮ８０を介してＳＭＴＰサーバ３０へ直接送信し、さらにＳＭＴＰサーバ３０からインターネット６０を介して任意の外部ＰＣ５１，５２等へ送信する機能である。
【００２３】
図２は、複合機１の内部構成を概略的に示す側面図である。複合機１は、装置本体２と、装置本体２の左方に配設されたスタックトレイ３と、装置本体２の上部に配設された原稿読取部５と、原稿読取部５の上方に配設された原稿給送部６とを有している。
【００２４】
複合機１のフロント部には、操作部（操作手段）４７が設けられている。この操作部４７には、ユーザが印刷実行指示を入力するためのスタートキー４７１と、印刷部数等を入力するためのテンキー４７２と、各種複写動作の操作ガイド情報等を表示し、これら各種設定入力用にタッチパネル機能を有する液晶ディスプレイ等からなる表示部４７３と、表示部４７３で設定された設定内容等をリセットするリセットキー４７４と、実行中の印刷（画像形成）動作を停止させるためのストップキー４７５と、コピー機能、プリンタ機能、スキャナ機能及びファクシミリ機能を切り換えるための機能切換キー４７７が備えられている。
【００２５】
原稿読取部５は、ＣＣＤ(Charge Coupled Device)センサ及び露光ランプ等からなるスキャナ部５１と、ガラス等の透明部材により構成された原稿台５２及び原稿読取スリット５３とを備える。スキャナ部５１は、図略の駆動部によって移動可能に構成され、原稿台５２に載置された原稿を読み取るときは、原稿台５２に対向する位置で原稿面に沿って移動され、原稿画像を走査しつつ取得した画像データを制御部１００（図３）へ出力する。また、原稿給送部６により給送された原稿を読み取るときは、原稿読取スリット５３と対向する位置に移動され、原稿読取スリット５３を介して原稿給送部６による原稿の搬送動作と同期して原稿の画像を取得し、その画像データを制御部１００へ出力する。
【００２６】
原稿給送部６は、原稿を載置するための原稿載置部６１と、画像読み取り済みの原稿を排出するための原稿排出部６２と、原稿載置部６１に載置された原稿を１枚ずつ繰り出して原稿読取スリット５３に対向する位置へ搬送し、原稿排出部６２へ排出するための給紙ローラ（図略）、搬送ローラ（図略）等からなる原稿搬送機構６３を備える。原稿搬送機構６３は、さらに原稿を表裏反転させて原稿読取スリット５３と対向する位置へ再搬送する用紙反転機構（図略）を備え、原稿の両面の画像を原稿読取スリット５３を介してスキャナ部５１から読取可能にしている。
【００２７】
また、原稿給送部６は、その前面側が上方に移動可能となるように装置本体２に対して回動自在に設けられている。原稿給送部６の前面側を上方に移動させて原稿台５２上面を開放することにより、原稿台５２の上面に読み取り原稿、例えば見開き状態にされた書籍等を操作者が載置できるようになっている。
【００２８】
装置本体２は、複数の給紙カセット４６１と、給紙カセット４６１から記録紙を１枚ずつ繰り出して記録部４０へ搬送する給紙ローラ４６２と、給紙カセット４６１から搬送されてきた記録紙に画像を形成して記録する記録部４０とを備える。
【００２９】
記録部４０は、スキャナ部５１で取得された画像データに基づきレーザ光等を記録して感光体ドラム４３を露光する光学ユニット４２と、感光体ドラム４３上にトナー像を形成する現像部４４と、感光体ドラム４３上のトナー像を記録紙に転写する転写部４１と、トナー像が転写された記録紙を加熱してトナー像を記録紙に定着させる定着部４５と、記録部４０内の用紙搬送路中に設けられ、記録紙をスタックトレイ３又は排出トレイ４８まで搬送する搬送ローラ４６３，４６４等とを備える。
【００３０】
また、記録紙の両面に画像を形成する場合は、記録部４０で記録紙の一方の面に画像を形成した後、この記録紙を排出トレイ４８側の搬送ローラ４６３にニップされた状態とする。この状態で搬送ローラ４６３を反転させて記録紙をスイッチバックさせ、記録紙を用紙搬送路Ｌに送って記録部４０の上流域に再度搬送し、記録部４０により他方の面に画像を形成した後、記録紙をスタックトレイ３又は排出トレイ４８に排出する。
【００３１】
図３は複合機１の概略構成を示す機能ブロック図である。複合機１には、装置全体の動作制御を司る制御部（制御手段）１００が備えられている。この制御部１００には、露光ランプ５１１及びＣＣＤ５１２等からなる原稿画像の読み取りが可能なスキャナ部５１と、用紙搬送装置１３１，画像形成部１３２，転写部４１及び定着部４５等からなる記録部４０とが接続されている。また、制御部１００には、スキャナ部５１で読み取られた文書データ等が一時的に保存される画像メモリ１４０と、大量の文書データを保存可能な記憶容量を有する大容量のＨＤＤ（記憶装置）１５０とが接続されている。
【００３２】
画像処理部１６０は、スキャナ部５１による原稿読み取り時には、スキャナ部５１から出力されるアナログ画像信号をデジタル画像に変換し、画質を向上させる画像処理を施した後、圧縮画像に変換する。この圧縮画像は画像メモリ１４０に書き込まれる。制御部１００は、画像メモリ１４０に書き込まれた当該圧縮画像を、文書管理の対象となるデータとしてＨＤＤ１５０に格納することが可能である。また、登録文書のプリントアウト時には、例えば、ＨＤＤ１５０又はネットワーク上の各コンピュータから、プリントアウト対象となるデータが画像メモリ１４０に書き出され、画像処理部１６０は、当該圧縮されたデータを伸張処理し、出力状態に応じた画像処理を施す。例えばレーザ露光の場合には、レーザ信号にアナログ変調する。このアナログ変調された信号に基づいて記録部４０でプリントアウトが行われる。
【００３３】
また、制御部１００は、複合機１が実行可能な各機能を制御するスキャナコントローラ１０１，ファクシミリコントローラ１０２，プリンタコントローラ１０３，コピーコントローラ１０４及びネットワークコントローラ１０５として機能する。
【００３４】
スキャナコントローラ１０１は、スキャナ部動作に必要な各部の動作制御を行うものである。ファクシミリコントローラ１０２は、ファクシミリ動作に必要な各部の動作制御を行うものであり、ファクシミリ通信に必要なデータの調整を行うファクシミリ通信部１７０を制御する。ファクシミリ通信部１７０には、データ送受信相手である相手先ファクシミリとの電話回線の接続を制御するＮＣＵ（Network Control Unit）が備えられている。コピーコントローラ１０４は、コピー動作に必要な各部の動作制御を行うものである。
【００３５】
プリンタコントローラ１０３は、プリンタ動作に必要な各部の動作制御を行うものである。このプリンタコントローラ１０３には、複数の信号線を用いて同時に数ビットまとめてデータを送るパラレル伝送で外部機器と接続するパラレルＩ／Ｆ部１８１と、単一の信号線を用いて1ビットずつ順次データを送るシリアル伝送で外部機器と接続するシリアルＩ／Ｆ部１８２とが接続されている。
【００３６】
ネットワークコントローラ１０５は、本複合機１とＬＡＮ接続されたコンピュータ、更には、インターネット接続されたコンピュータとの間で行われるデータ送受信を制御するものである。ネットワークコントローラ１０５は、ネットワークＩ／Ｆ部２１０を介して外部とデータを送受信させる。
【００３７】
操作部（操作手段、ジョブ指定手段）４７は、複合機１の操作に必要な各種の指示が操作者（ユーザ）から入力されるものである。操作部４７は、ＬＣＤ（liquid crystal display）等からなり、複合機１の操作に必要な各種操作メッセージ等が表示される表示部４７３と、プリントアウト実行指示や文書のプリントアウト部数等が入力されるテンキー等からなる操作キー部４７０とを有している。なお、表示部４７３は、タッチパネル機能を備え、操作者が当該タッチパネルに接触することによって必要な指示を入力できる構成を有することが好ましい。操作部４７には、各画像読取動作別にジョブ記憶メモリ２００に記憶されている画像読取ジョブを呼び出す場合に、呼び出したい画像読取ジョブを指定する指示がユーザから入力される。入力された指示は、制御部１００に送られ、制御部１００が当該指示に従って、ジョブ記憶メモリ２００から該当する画像読取ジョブを呼び出すようになっている。
【００３８】
ジョブ記憶メモリ（ジョブ記憶手段）２００は、スキャナ部５１による画像読取動作時における、原稿サイズ、原稿向き、送信サイズ、読込解像度、ファイル形式（PDF，BMP，JPEG等のデータ形式）等、ユーザにより操作部４７に入力された諸条件の組み合わせからなる画像読取ジョブを各画像読取動作別に記憶可能であり、各画像読取ジョブ毎に付されたジョブ名称と共に記憶するものである。
【００３９】
また、制御部１００は、ファイル名称付加部（ファイル名称付加手段）１０６と、指定回数カウント部１０７とを備える。ファイル名称付加部１０６は、操作部４７で、呼出の対象として指定された画像読取ジョブをジョブ記憶メモリ２００から呼び出し、呼び出した画像読取ジョブに基づいて画像読取動作が実行される場合に、この画像読取ジョブに付されている名称に通し番号（例えば、同一の画像読取ジョブにより読み取られた順番に付される番号等）を付加したファイル名称を、保存対象となる画像のデータにファイル名称として付すようになっている。指定回数カウント部１０７は、ユーザによる操作部４７の操作で、ジョブ記憶メモリ２００に記憶されている画像読取ジョブが呼び出された回数を、各画像読取ジョブ毎にカウントし、カウント後の各画像読取ジョブ毎のカウント値を保有するものである。
【００４０】
また、制御部１００は、(1)操作部４７で指定された画像読取ジョブをジョブ記憶メモリ２００から呼び出して、当該呼び出した画像読取ジョブに基づいて画像読取動作を実行させる制御、(2) ジョブ記憶メモリ２００に記憶されている画像読取ジョブに付されている名称を表示部４７３に表示させる制御、 (3)指定回数カウント部１０７が保有する、 操作部４７で受け付けられた各画像読取ジョブ毎の指定回数に基づいて、この指定回数の最も多い画像読取ジョブの名称を、他の名称よりも顕著な表示形態で表示部４７３に表示させる制御、等を行うようになっている。
【００４１】
次に、複合機１における、画像読取の画像読取ジョブをジョブ記憶メモリ２００に記憶させる処理について説明する。図４は画像読取の画像読取ジョブをジョブ記憶メモリ２００に記憶させる処理を示すフローチャート、図５は保存先選択画面の一例を示す図、図６は画像読取動作設定入力画面の一例を示す図、図７は設定確認画面の一例を示す図、図８は名称入力画面の一例を示す図である。
【００４２】
図４において、まず、制御部１００は、画像読取の動作設定が入力されたか否かを判断する（Ｓ１）。例えば、制御部１００は、図５に示す保存先選択画面４７３Ａを表示部４７３に表示させ、この保存先選択画面４７３Ａに、読み取った画像をE-mailによりインターネット上の外部ＰＣ５１，５２に送信する指示を入力するための「E-mail送信」キー４７３１、読み取った画像をＬＡＮ８０上のクライアントＰＣ２１，２２に送信する指示を入力するための「PC送信」キー４７３２、読み取った画像を複合機１内のＨＤＤ１５０に保存する指示を入力するための「ＨＤＤ保存」キー４７３３を表示させる。
【００４３】
上記保存先選択画面４７３Ａで「PC送信」キー４７３２が押下された場合について説明する。「PC送信」キー４７３２が押下されると、制御部１００は、図６に示す画像読取動作（スキャン動作）設定入力画面４７３Ｂを表示部４７３に表示させる。この画像読取動作設定入力画面４７３Ｂでは、複合機１に送信先として登録されているＬＡＮ８０上の各クライアントＰＣの名前の一覧が宛先表示部４７３４に表示され、ユーザ所望のクライアントＰＣを矢印キー４７３４ａ，４７３４ｂで指定できるようになっている。また、原稿サイズ、原稿タイプ（片面読込又は両面読込の別）、原稿セット向き、送信サイズ、読込解像度、保存ファイル形式の各条件を入力するためのキー群４７３５が表示され、各キーを押下することにより各条件をユーザ所望の条件に設定できるようになっている。
【００４４】
画像読取動作設定入力画面４７３Ｂにおいて、上記画像読取動作の各条件が設定された後（Ｓ１でＹＥＳ）、「登録」キー４７３７が押下されることにより、制御部１００が、画像読取動作設定入力画面４７３Ｂで設定された画像読取動作時の各条件をジョブ記憶メモリ２００に記憶させる指示（設定内容登録指示）の入力を受け付けると（Ｓ２でＹＥＳ）、設定された画像読取の動作設定の各条件の一覧が表示された設定確認画面４７３Ｃ（図７）を表示部４７３に表示させる（Ｓ３）。この設定確認画面４７３Ｃは、ユーザに対して設定内容の確認を促すことを目的としている。なお、制御部１００は、画像読取動作設定入力画面４７３Ｂで「スキャン開始」キー４７３６が押下されると、スキャナ部５１に原稿を読み取らせる動作を行わせ、読み取った画像のデータを、指定された保存先に保存させる処理を実行する（ここではＬＡＮの上のクライアントＰＣへの送信）。
【００４５】
上記設定確認画面４７３Ｃを表示部４７３に表示している時に、この設定確認画面４７３Ｃ中の「ＯＫ」キー４７３８が押下され、制御部１００が、ユーザから動作設定の内容を確認した旨の指示を受け付けると（Ｓ４でＹＥＳ）、制御部１００は、図８に示すような名称入力画面４７３Ｄを表示部４７３に表示させる（Ｓ５）。この名称入力画面４７３Ｄには、文字入力用キー群からなるキーボード４７３９が表示され、各キーがユーザにより押下されることにより、所望の文字を入力して、所望の画像読取ジョブ名称を入力できるようになっている。ユーザによるこのキー操作で所望の名称が入力され、「ＯＫ」キー４７４０が押下されることによって、制御部１００に、画像読取ジョブ名称の入力が受け付けられると（Ｓ６でＹＥＳ）、制御部１００は、Ｓ１で受け付けた画像読取の動作設定の内容を１つのジョブとして、当該Ｓ６で受け付けられた名称を付してジョブ記憶メモリ２００に記憶させる。
【００４６】
次に、ジョブ記憶メモリ２００に記憶されている画像読取ジョブを呼び出す処理について説明する。図９はジョブ記憶メモリ２００に記憶されている画像読取ジョブを呼び出す処理を示すフローチャート、図１０は画像読取ジョブ名称の一覧を表示した名称選択画面の一例を示す図、図１１はジョブ内容確認画面の一例を示す図である。
【００４７】
図９において、まず、制御部１００は、ユーザによる操作部４７の操作で、ジョブ記憶メモリ２００に記憶されている画像読取ジョブを呼び出す指示が入力されたか否かを判断する（Ｓ１１）。例えば、操作部４７に備えられる図略の画像読取ジョブ呼出キーがユーザによって押下される等により、画像読取ジョブを呼び出す指示が入力されるようになっている。画像読取ジョブを呼び出す指示が入力された場合は（Ｓ１１でＹＥＳ）、制御部１００は、図１０に示すような名称選択画面４７３Ｅを表示部４７３に表示させる（Ｓ１２）。この名称選択画面４７３Ｅでは、ジョブ記憶メモリ２００に記憶されている各画像読取ジョブに付されている名称の一覧が表示される。名称選択画面４７３Ｅで、ユーザが、例えば、画像読取ジョブの名称を示す表示部分の１つである「kawaguchi」キー４７４１を押下して名称「kawaguchi」を指定し、「ＯＫ」ボタン４７４２を押下すると、操作部４７から制御部１００に、名称「kawaguchi」を指定する指示が送られる。
【００４８】
制御部１００は、上記の名称指定指示を受け付けると（Ｓ１３でＹＥＳ）、ジョブ記憶メモリ２００から、指定された名称が付された画像読取ジョブを呼び出して（Ｓ１４）、呼び出した画像読取ジョブの内容を示すジョブ内容確認画面４７３Ｆ（図１１）を表示部４７３に表示させる（Ｓ１５）。このジョブ内容確認画面４７３Ｆで「スキャン開始」キー４７４３が押下され、操作部４７から制御部１００が画像読取指示を受け付けると（Ｓ１６でＹＥＳ）、ジョブ記憶メモリ２００に記憶されている名称「kawaguchi」が付された画像読取ジョブでスキャナ部５１等に画像読取動作を実行させる（Ｓ１７）。なお、このジョブ内容確認画面４７３Ｆで「キャンセル」キー４７４４が押下された場合は、制御部１００は、スキャナ部５１に画像読取動作を実行させることなく処理を終了させる。
【００４９】
次に、複合機１において、読取画像に名称を付して保存する処理について説明する。図１２は複合機１における読取画像に名称を付して保存する処理を示すフローチャート、図１３はファイル名称確認画面の一例を示す図である。なお、図９に示した処理と同様の処理は、同符号を付けて説明を省略する。
【００５０】
ユーザの操作部４７の操作により、ジョブ記憶メモリ２００から所望の画像読取ジョブが呼び出され、この画像読取ジョブに基づいて画像読取を行った場合（Ｓ１１乃至Ｓ１７）、制御部１００は、図８と同様の表示画面である名称入力画面４７３Ｄを表示部４７３に表示させる（Ｓ２１）。ここで、名称入力画面４７３Ｄのキャンセルボタン４７４５が押下され、ユーザによりファイル名称が入力されなかった場合（Ｓ２２でＮＯ）、ファイル名称付加部１０６が、今回の画像読取動作によって読み取られた画像のデータの名称として、ジョブ記憶メモリ２００に記憶されているジョブ名称（Ｓ１３で指定された名称を示す）と、通し番号（例えば、読み取られた順番に付される番号等）とからなるファイル名称を作成する（Ｓ２３）。制御部１００は、このファイル名称が表示されたファイル名称確認画面４７３Ｇ（図１３）を表示部４７３に表示させる（Ｓ２４）。このファイル名称確認画面４７３Ｇで「画像保存」キー４７４７が押下されて、操作部４７から制御部１００に、読み取った画像を保存する指示が送られ、制御部１００が当該指示を受け付けると（Ｓ２５でＹＥＳ）、Ｓ２３で作成した名称を付して、読み取った画像のデータを、指定された保存先に保存する（Ｓ２６）。
【００５１】
また、上記名称入力画面で４７３Ｄで、ユーザによるキー操作で所望のファイル名称が入力された場合は（Ｓ２２でＹＥＳ）、制御部１００は、入力されたファイル名称を、読み取った画像のデータの名称として受け付け（Ｓ２７）、この名称を付して、読み取った画像のデータを、指定された保存先に保存する（Ｓ２４乃至Ｓ２６）。
【００５２】
次に、ジョブ記憶メモリ２００に記憶されている画像読取ジョブを呼び出す指示があった場合における、画像読取ジョブの名称を表示する制御の他の例を説明する。図１４はジョブ記憶メモリ２００に記憶されている画像読取ジョブを呼び出す指示があった場合における、画像読取ジョブの名称を表示する制御の他の例を示すフローチャートである。この図１４及び上述した図１０を用いて説明する。なお、図１２と同様の処理は、同符号を付して説明を省略する。
【００５３】
ユーザによる操作で、ジョブ記憶メモリ２００に記憶されている画像読取ジョブを呼び出す指示が制御部１００に受け付けられた場合（Ｓ１１でＹＥＳ）、制御部１００は、指定回数カウント部１０７が保有するカウンタ値に基づいて、ジョブ記憶メモリ２００に記憶されている各名称が、過去に指定されて呼び出された回数を検出する（Ｓ３１）。そして、制御部１００は、例えば、図１０に示すような名称選択画面４７３Ｅを表示部４７３に表示させるが、この例では、指定回数の多い順に画像読取ジョブの名称を並べ替え（Ｓ３２）、当該画像読取ジョブの名称の表示順を並べ替えた上で名称選択画面４７３Ｅを表示部４７３に表示させる（Ｓ３３）。そして、制御部１００が名称指定指示を受け付けると（Ｓ１３でＹＥＳ）、指定回数カウント部１０７が、当該指定された名称の指定回数をカウントアップする（Ｓ３４）。この後、制御部１００は、図１２と同様に、Ｓ１４乃至Ｓ２６の処理を実行させる。
【００５４】
次に、上記画像読取ジョブの名称を表示する制御の更に他の例を説明する。上記の図１４に示した処理では、ジョブ記憶メモリ２００に記憶されている名称を、指定回数が多い順に並べて表示するが、制御部１００が、過去所定期間内（例えば、７日間、１月間等）における各名称の指定回数を、指定回数カウント部１０７が保有するカウント値に基づいて検出し、この期間内における指定回数の多い順に名称を並べて表示部４７３に表示するようにしてもよい。この場合、図１４において、Ｓ３１の処理を過去所定期間内における各名称の指定回数を読み出す処理に置き換えればよい。
【００５５】
なお、本発明は上記実施の形態の構成に限られず種々の変形が可能である。例えば、上記の図３には、複合機１の構成を例示しているが、制御部１００は、必ずしもファイル名称付加部１０６又は指定回数カウント部１０７を備えていなければならないものではなく、図４乃至図１４で説明した制御において必要ない場合は、備えていなくても構わない。
【００５６】
また、上記実施形態では、複合機１の構成及び処理を図１乃至図１４に示しているが、これらの構成及び処理はあくまでも一例であり、本発明に係る複合機１の構成及び処理は上記に限定されるものではない。
【図面の簡単な説明】
【００５７】
【図１】本発明の一実施の形態による複合機を用いたネットワークシステムの構成を示す図である。
【図２】複合機の内部構成を概略的に示す側面図である。
【図３】複合機の概略構成を示す機能ブロック図である。
【図４】画像読取の画像読取ジョブをジョブ記憶メモリに記憶させる処理を示すフローチャートである。
【図５】保存先選択画面の一例を示す図である。
【図６】画像読取動作設定入力画面の一例を示す図である。
【図７】設定確認画面の一例を示す図である。
【図８】名称入力画面の一例を示す図である。
【図９】ジョブ記憶メモリに記憶されている画像読取ジョブを呼び出す処理を示すフローチャートである。
【図１０】画像読取ジョブ名称の一覧を表示した名称選択画面の一例を示す図である。
【図１１】ジョブ内容確認画面の一例を示す図である。
【図１２】複合機における読取画像に名称を付して保存する処理を示すフローチャートである。
【図１３】ファイル名称確認画面の一例を示す図である。
【図１４】ジョブ記憶メモリに記憶されている画像読取ジョブを呼び出す指示があった場合における、画像読取ジョブの名称を表示する制御の他の例を示すフローチャートである。
【符号の説明】
【００５８】
１        複合機
１０１    スキャナコントローラ
１０６    ファイル名称付加部
１０７    指定回数カウント部
２００    ジョブ記憶メモリ
４７      操作部
４７３    表示部
４７３Ａ  保存先選択画面
４７３Ｂ  画像読取動作設定入力画面
４７３Ｃ  設定確認画面
４７３Ｄ  名称入力画面
４７３Ｅ  名称選択画面
４７３Ｆ  ジョブ内容確認画面
４７３Ｇ  ファイル名称確認画面
【図１】
2005223816.tif 000003
【図２】
2005223816.tif 000004
【図３】
2005223816.tif 000005
【図４】
2005223816.tif 000006
【図５】
2005223816.tif 000007
【図６】
2005223816.tif 000008
【図７】
2005223816.tif 000009
【図８】
2005223816.tif 000010
【図９】
2005223816.tif 000011
【図１０】
2005223816.tif 000012
【図１１】
2005223816.tif 000013
【図１２】
2005223816.tif 000014
【図１３】
2005223816.tif 000015
【図１４】
2005223816.tif 000016